(57)【要約】【課題】本発明は、極めて商品価値の高い画期的な乾麺分量確認機能付き鍋蓋を提供することを目的とする。【解決手段】乾麺２を束ね状態とした束状乾麺２Ａを載置係合若しくは当てがい係合し得る異なる大きさの凹部３を鍋蓋本体１の表面部に複数設け、この各凹部３は、束状乾麺２Ａを係合することで凹部３の内周縁３ａとの間に余裕が生じる場合は量が少なく、凹部３内に入りきらない場合は量が多いことを確認でき、凹部３に丁度合致して係合する場合には、その凹部３の大きさの分量となっていることを確認できるように構成したものである。【選択図】図１
2008206771.tif 000002
【特許請求の範囲】
【請求項１】
乾麺を束ね状態とした束状乾麺を載置係合若しくは当てがい係合し得る異なる大きさの凹部を鍋蓋本体の表面部に複数設け、この各凹部は、束状乾麺を係合することで凹部の内周縁との間に余裕が生じる場合は量が少なく、凹部内に入りきらない場合は量が多いことを確認でき、凹部に丁度合致して係合する場合には、その凹部の大きさの分量となっていることを確認できるように構成したことを特徴とする乾麺分量確認機能付き鍋蓋。
【請求項２】
特定の乾麺に応じた一人前や二人前などの人数分の分量を確認できるように前記凹部は構成されていることを特徴とする請求項１記載の乾麺分量確認機能付き鍋蓋。
【請求項３】
前記各凹部を鍋蓋本体に設けられる摘み体に設けたことを特徴とする請求項１，２のいずれか１項に記載の乾麺分量確認機能付き鍋蓋。
【請求項４】
前記各凹部には確認し得る束状乾麺の分量を指標する分量指標部が設けられていることを特徴とする請求項１〜３のいずれか１項に記載の乾麺分量確認機能付き鍋蓋。
【請求項５】
前記各凹部の底部は平坦部であることを特徴とする請求項１〜４のいずれか１項に記載の乾麺分量確認機能付き鍋蓋。
【発明の詳細な説明】
【技術分野】
【０００１】
本発明は、乾麺の分量を簡易に確認し得る乾麺分量確認機能付き鍋蓋に関するものである。
【背景技術】
【０００２】
ロングパスタや素麺などの乾麺を調理する際、乾麺を束ねた際の束状乾麺の断面径がその分量（一人前、二人前などのおおよその分量）を計量する一つの目安とされる（乾麺は所定長さに切り揃えられている。）。
【０００３】
そこで、従来においても、束ねた乾麺の断面径にもとづき乾麺の分量を確認する道具として、例えば特開２００３−３３９５５７号に開示される乾麺用スケール（以下、従来例という。）が提案されている。
【０００４】
この従来例は、板状本体に束状にした束状乾麺を嵌挿する嵌挿孔を形成し、この嵌挿孔の径を所定分量の束状乾麺の断面径に対応した径に設定したものであり、この嵌挿孔に束状乾麺を嵌挿することで束状乾麺が所定分量であることを確認することができる。
【０００５】
【特許文献１】特開２００３−３３９５５７号公報
【発明の開示】
【発明が解決しようとする課題】
【０００６】
ところで、従来例を使用して乾麺の分量を確認する場合、片方の手で従来例を持ち（中に浮かせた状態とし）、もう片方の手で乾麺をつかんで束状としてこの束状乾麺を嵌挿孔に嵌挿させることで行うが、実際、片方の手でばらけ易い乾麺を落とさないようにして前述した確認作業を行うのは非常に厄介であり（例えば束状乾麺の中心位置の乾麺が抜け落ちないようにしっかりとつかまなければならないが、とは言え、強くつかむと折れてしまう。）、慎重な作業を強いられ極めて作業性が悪い。
【０００７】
また、従来例は、特に頻繁に使用するわけでないユーザーであった場合には、必要なときに見つからず不便が生じるケースが多いなどの問題もある。
【０００８】
本発明は、上述した問題点を解消する、極めて商品価値の高い画期的な乾麺分量確認機能付き鍋蓋を提供する。
【課題を解決するための手段】
【０００９】
添付図面を参照して本発明の要旨を説明する。
【００１０】
乾麺２を束ね状態とした束状乾麺２Ａを載置係合若しくは当てがい係合し得る異なる大きさの凹部３を鍋蓋本体１の表面部に複数設け、この各凹部３は、束状乾麺２Ａを係合することで凹部３の内周縁３ａとの間に余裕が生じる場合は量が少なく、凹部３内に入りきらない場合は量が多いことを確認でき、凹部３に丁度合致して係合する場合には、その凹部３の大きさの分量となっていることを確認できるように構成したことを特徴とする乾麺分量確認機能付き鍋蓋に係るものである。
【００１１】
また、特定の乾麺２に応じた一人前や二人前などの人数分の分量を確認できるように前記凹部３は構成されていることを特徴とする請求項１記載の乾麺分量確認機能付き鍋蓋に係るものである。
【００１２】
また、前記各凹部３を鍋蓋本体１に設けられる摘み体４に設けたことを特徴とする請求項１，２のいずれか１項に記載の乾麺分量確認機能付き鍋蓋に係るものである。
【００１３】
また、前記各凹部３には確認し得る束状乾麺２Ａの分量を指標する分量指標部５が設けられていることを特徴とする請求項１〜３のいずれか１項に記載の乾麺分量確認機能付き鍋蓋に係るものである。
【００１４】
また、前記各凹部３の底部３ｂは平坦部であることを特徴とする請求項１〜４のいずれか１項に記載の乾麺分量確認機能付き鍋蓋に係るものである。
【発明の効果】
【００１５】
本発明は上述のように構成したから、乾麺を束ねた束状乾麺の分量の確認作業が簡易且つ迅速に行えることになり、しかも、この確認作業を行いたい場面においては確実に行うことができることになるなど極めて商品価値の高い画期的な乾麺分量確認機能付き鍋蓋となる。
【発明を実施するための最良の形態】
【００１６】
好適と考える本発明の実施形態（発明をどのように実施するか）を、図面に基づいて本発明の作用を示して簡単に説明する。
【００１７】
束状乾麺２Ａの分量を確認する場合、例えば鍋蓋本体１に設けた複数の凹部３の中から、確認したい束状乾麺２Ａの分量である凹部３を選択し、この凹部３に乾麺２をつかむなどして束ね状態とした束状乾麺２Ａを載置係合若しくは当てがい係合すると、束状乾麺２Ａが凹部３の内周縁３ａに丁度係合する場合には、その凹部３の大きさの分量となっていることを確認できる。
【００１８】
また、束状乾麺２Ａを係合することで凹部３内に入りきらない場合は量が多いことを確認でき、一方、束状乾麺２Ａを係合した凹部３の内周縁３ａとの間に余裕が生じる場合は量が少ないことを確認できる。量が足りない場合、乾麺２を凹部３の内周縁３ａに丁度係合するまで追加する。
【００１９】
本発明は、この各凹部３を異なる大きさとしている為、複数の束状乾麺２Ａの分量を確認することができる。
【００２０】
従って、束状乾麺２Ａにおける複数種類の分量を確認することができ、しかも、この束状乾麺２Ａの分量を確認する部位を凹部３としたから、束状乾麺２Ａの端部を凹部３の底に載置係合若しくは当てがい係合するだけでよく、よって、乾麺２を強くつかまなくても落としてしまうことがないから、安心して束状乾麺２Ａの分量の確認作業が簡易且つ迅速に行えることになる。
【００２１】
また、本発明は、鍋蓋本体１の表面部に前述した凹部３を設けたから、例えば鍋蓋本体１を鍋や調理台などに載置した状態で束状乾麺２Ａの分量の確認作業を行うこととすれば、前述した確認作業が両手を使って行えることになり、この点においても、束状乾麺２の分量の確認作業が簡易且つ迅速に行えることになり、しかも、乾麺２を調理する（茹でる）する際に必ず使用する鍋蓋本体１に凹部３が設けられているから、前述した確認作業を行いたい場面においてはいつでも確実に行うことができることになり、非常に便利である。
【００２２】
また、特定の乾麺２に応じた一人前や二人前などの人数分の分量を確認できるように凹部３を構成した場合には、より一層便利となる。
【００２３】
また、各凹部３を鍋蓋本体１に設けられる摘み体４に設けた場合には、摘み体４を樹脂製の成形品とすれば、各凹部３の形成が簡易且つ確実に行えることになる。
【００２４】
また、各凹部３には確認し得る束状乾麺２Ａの分量を指標する分量指標部５が設けられている場合には、分量指標部５を見て直ちに束状乾麺２Ａの分量を確認し得る凹部３を選択することができることになる。
【００２５】
また、各凹部３の底部が平坦部である場合には、例えば鍋に投入する前に乾麺２の端部を揃えることができ、鍋内に乾麺２を綺麗に投入することができる。
【実施例】
【００２６】
本発明の具体的な実施例について図面に基づいて説明する。
【００２７】
本実施例は、乾麺２を束ね状態とした束状乾麺２Ａの分量を確認する機能を鍋蓋本体１に設けている。
【００２８】
尚、本実施例では、特定の乾麺２としてロングパスタ（小麦を主原料とした加工食品）を採用しているが、乾麺２の種類としては素麺やうどんなど前述したものに限らず、本実施例の特性を発揮する構成であれば適宜採用し得るものである。
【００２９】
具体的には、鍋蓋本体１は、図１〜４に図示したように適宜な金属製の部材で形成したものであり、鍋蓋本体１の中央部に摘み体４を設けた構成である。
【００３０】
摘み体４は、図１〜４に図示したように適宜な合成樹脂製の部材で形成したものであり、鍋蓋本体１に付設される平板状の基体４Ａと、この基体４Ａに連結される摘子体４Ｂとで構成されている。尚、基体４Ａと摘子体４Ｂの一体成形品としても良い。
【００３１】
この基体４Ａと摘子体４Ｂとの連結は、鍋蓋本体１に基体４Ａを付設する際に用いられる止着部材６を介して行われる。尚、符号７は摘子体４Ｂに凹凸係合して該摘子体４Ｂの回動を阻止する回動阻止部、８は鍋蓋本体１に凹凸係合して該鍋蓋本体１に対する回動を阻止する回動阻止部である。
【００３２】
また、摘み体４は、基体４Ａに束状乾麺２Ａの分量を確認する分量確認部が設けられている。
【００３３】
この分量確認部は、図１，２に図示したように基体４Ａの表面所定位置に大きさの異なる３つの凹部３を設け、この各凹部３は、束状乾麺２Ａを載置係合若しくは当てがい係合した際、束状乾麺２Ａの断面径によって決定される束状乾麺２Ａの分量を確認し得る径の内周縁３ａを有する。尚、凹部３は鍋蓋本体１に設けても良い。
【００３４】
また、各凹部３は、内周縁３の径をそれぞれ異なる束状乾麺２Ａの分量を確認し得る径に設定しており、具体的には、ロングパスタを基準とした一人前、二人前、三人前となるように設定されている。尚、本明細書で言う分量とは、計器で重量を計測するような厳密な分量ではなく、おおよその分量（重量）である。
【００３５】
また、各凹部３は、図４に図示したように底部３ｂが平坦であり、この各凹部３の底部３ｂには、確認し得る束状乾麺２Ａの分量を指標する分量指標部５が設けられている。
【００３６】
この分量指標部５は、前述した一人前の分量を確認し得る大きさの凹部３には数字の１、二人前の分量を確認し得る大きさの凹部３には数字の２、三人前の分量を確認し得る大きさの凹部３には数字の３が形成されている。
【００３７】
尚、分量を指標する手段としては数字に限られるものではない。
【００３８】
本実施例は上述のように構成したから、束状乾麺２Ａの分量を確認する場合、例えば鍋蓋本体１に設けた複数の凹部３の中から、確認したい束状乾麺２Ａの分量である凹部３を選択し、この凹部３に乾麺２をつかむなどして束ね状態とした束状乾麺２Ａを載置係合若しくは当てがい係合すると、束状乾麺２Ａが凹部３の内周縁３ａに丁度係合する場合には、その凹部３の大きさの分量となっていることを確認できる。
【００３９】
また、束状乾麺２Ａを係合することで凹部３内に入りきらない場合は量が多いことを確認でき、一方、束状乾麺２Ａを係合した凹部３の内周縁３ａとの間に余裕が生じる場合は量が少ないことを確認できる。量が足りない場合、乾麺２を凹部３の内周縁３ａに丁度係合するまで追加する。
【００４０】
本実施例は、この各凹部３を異なる３つの大きさとしている為、３種類の束状乾麺２Ａの分量を確認することができる。
【００４１】
よって、本実施例によれば、束状乾麺２Ａにおける複数種類の分量を確認することができ、しかも、この束状乾麺２Ａの分量を確認する部位を凹部３としたから、束状乾麺２Ａの端部を凹部３の底に載置係合若しくは当てがい係合するだけでよく、よって、乾麺２を強くつかまなくても落としてしまうことがないから、安心して束状乾麺２Ａの分量の確認作業が簡易且つ迅速に行えることになる。
【００４２】
また、本実施例は、鍋蓋本体１の表面部に前述した凹部３を設けたから、例えば鍋蓋本体１を鍋に載置した状態で束状乾麺２Ａの分量の確認作業を行うこととすれば、前述した確認作業が両手を使って行えることになり、この点においても、束状乾麺２の分量の確認作業が簡易且つ迅速に行えることになり、しかも、乾麺２を調理する（茹でる）する際に必ず使用する鍋蓋本体１に凹部３が設けられているから、前述した確認作業を行いたい場面においてはいつでも確実に行うことができることになり、非常に便利である。
【００４３】
また、本実施例は、特定の乾麺２に応じた一人前や二人前などの人数分の分量を確認できるように凹部３を構成したから、より一層便利となる。
【００４４】
また、本実施例は、各凹部３を鍋蓋本体１に設けられる摘み体４に設けたから、摘み体４は樹脂製の成形品である為、各凹部３の形成が簡易且つ確実に行えることになる。即ち、鍋蓋本体１が金属製やガラス製の場合には凹部３の形成は困難となるが、この点、各凹部３の形成が簡易且つ確実に行えることになる。
【００４５】
また、本実施例は、各凹部３には確認し得る束状乾麺２Ａの分量を指標する分量指標部５が設けられているから、分量指標部５を見て直ちに束状乾麺２Ａの分量を確認し得る凹部３を選択することができることになる。
【００４６】
また、本実施例は、各凹部３の底部が平坦部であるから、例えば鍋に投入する前に乾麺２の端部を揃えることができ、鍋内に乾麺２を綺麗に投入することができる。
【００４７】
尚、本発明は、本実施例に限られるものではなく、各構成要件の具体的構成は適宜設計し得るものである。
【図面の簡単な説明】
【００４８】
【図１】本実施例を示す斜視図である。
【図２】本実施例を示す平面図である。
【図３】本実施例に係る要部の分解斜視図である。
【図４】本実施例に係る要部の説明断面図である。
【図５】本実施例の使用状態説明図である。
【符号の説明】
【００４９】
１  鍋蓋本体
２  乾麺
２Ａ  束状乾麺
３  凹部
３ａ  内周縁
３ｂ  底部
４  摘み体
５  分量指標部
【図１】
2008206771.tif 000003
【図２】
2008206771.tif 000004
【図３】
2008206771.tif 000005
【図４】
2008206771.tif 000006
【図５】
2008206771.tif 000007